(57)【要約】【課題】音量以外の設定項目について、ユーザごとの嗜好を自動で反映することのできる情報処理装置を得る。【解決手段】無線デバイス１００の固有のＩＤに紐付けられて記憶装置５に記憶されているユーザパラメータを、ユーザパラメータ制御部４５は読み出す。ユーザパラメータは、コントラスト、ブライトネス、カラー等の画像の表示状態を含むユーザの嗜好を示すものであり、ビデオ制御部７は、ユーザパラメータ制御部４５が読み出したユーザパラメータに基づき、表示部１０ｂに表示させる画像の表示状態を制御する。【選択図】図１
2015226202.tif 000002
【特許請求の範囲】
【請求項１】
表示装置に画像を表示させる情報処理装置において、
ユーザが所持する無線デバイスを識別するデバイス識別情報と前記画像の表示状態に関する前記ユーザの嗜好を示すユーザパラメータとを紐付けて記憶する記憶部と、
前記無線デバイスのデバイス識別情報を取得する無線デバイス制御部と、
前記無線デバイス制御部が取得した前記デバイス識別情報と同じデバイス識別情報に紐付けられて前記記憶部に記憶されている前記ユーザパラメータを読み出すユーザパラメータ制御部と、
前記ユーザパラメータ制御部が読み出した前記ユーザパラメータに基づき、前記表示装置に表示させる前記画像の表示状態を制御するビデオ制御部とを備えることを特徴とする情報処理装置。
【請求項２】
前記無線デバイスを所持するユーザを識別する個人識別情報を検出するユーザ検出部と、
前記ユーザ検出部が検出した前記個人識別情報を用いてユーザ認証を行うユーザ認証部とを備え、
前記記憶部は、前記無線デバイスを所持するユーザの個人識別情報を前記デバイス識別情報と前記ユーザパラメータと紐付けて記憶し、
前記ユーザ認証部は、前記無線デバイス制御部が取得した前記デバイス識別情報と同じデバイス識別情報に紐付けられて前記記憶部に記憶されている個人識別情報と、前記ユーザ検出部が検出した前記個人識別情報とに基づきユーザ認証を行い、
前記ユーザパラメータ制御部は、前記ユーザ認証部によるユーザ認証が成功した場合に、前記記憶部に記憶されている前記ユーザパラメータを読み出すことを特徴とする請求項１記載の情報処理装置。
【請求項３】
前記ユーザパラメータは、前記画像のコントラスト、ブライトネス、又は、カラーのうちの少なくとも１つに関するユーザの嗜好を示すものであることを特徴とする請求項１または請求項２記載の情報処理装置。
【請求項４】
前記表示装置は、車両に搭載されて当該車両の状態を示す情報及びナビゲーション情報の少なくとも一方の情報を表示する、クラスタディスプレイ又はセンタディスプレイであり、
前記ユーザパラメータは、前記クラスタディスプレイ又は前記センタディスプレイに表示する前記画像を構成する前記情報の表示数、レイアウト、又は、表示様式のうちの少なくとも１つに関するユーザの嗜好を示すものであることを特徴とする請求項１から請求項３のうちのいずれか１項記載の情報処理装置。
【請求項５】
前記ユーザパラメータ制御部が読み出した前記ユーザパラメータに基づき、音声出力装置に出力させる音声の出力状態を制御するオーディオ制御部を備え、
前記ユーザパラメータは、前記音声のラウドネス、ボリューム、フェーダ、バランス、又は、サラウンドのうちの少なくとも１つに関するユーザの嗜好を示すものであることを特徴とする請求項１から請求項４のうちのいずれか１項記載の情報処理装置。
【請求項６】
メディアから字幕もしくはアングルの異なる画像を含む画像情報、又は、吹替音声を含む音声情報を取得するメディアインタフェースを制御して、前記ユーザパラメータ制御部が読み出した前記ユーザパラメータに基づく前記画像情報又は前記音声情報を取得し、前記ビデオ制御部又は前記オーディオ制御部に出力するメディアインタフェース制御部を備え、
前記ユーザパラメータは、前記画像情報に含まれる字幕もしくは画像のアングル、又は、前記音声情報に含まれる吹替音声のうちの少なくとも１つに関するユーザの嗜好を示すものであることを特徴とする請求項５記載の情報処理装置。
【発明の詳細な説明】
【技術分野】
【０００１】
この発明は、外部の無線デバイスと通信可能に構成されて、表示装置に画像を表示させる情報処理装置に関するものである。
【背景技術】
【０００２】
例えば特許文献１に示された車載用オーディオ装置では、ユーザごとの属性データを有する移動用通信機器から当該属性データを受信して、個人を特定する。そして、当該属性データに関連付けられた音量データを読み出すことで、ユーザ所望の音量にスピーカを自動調整している。
【先行技術文献】
【特許文献】
【０００３】
【特許文献１】特開２００８―２４７１２５号公報
【発明の概要】
【発明が解決しようとする課題】
【０００４】
しかしながら、上記特許文献１に示された従来技術は、スピーカの音量調節のみに特化したものであり、ビデオ機能を有するタブレットデバイス等の表示装置に適用したとしても、ビデオ設定はユーザによらず固定となるため、適用効果が低い。
【０００５】
この発明は、上記のような課題を解決するためになされたもので、表示装置の音量以外の設定項目について、ユーザごとの嗜好を自動で反映することのできる情報処理装置を得ることを目的とする。
【課題を解決するための手段】
【０００６】
この発明に係る情報処理装置は、表示装置に画像を表示させるものであって、ユーザが所持する無線デバイスを識別するデバイス識別情報と画像の表示状態に関するユーザの嗜好を示すユーザパラメータとを紐付けて記憶する記憶部と、無線デバイスのデバイス識別情報を取得する無線デバイス制御部と、無線デバイス制御部が取得したデバイス識別情報と同じデバイス識別情報に紐付けられて記憶部に記憶されているユーザパラメータを読み出すユーザパラメータ制御部と、ユーザパラメータ制御部が読み出したユーザパラメータに基づき、表示装置に表示させる画像の表示状態を制御するビデオ制御部とを備えることを特徴とするものである。
【発明の効果】
【０００７】
この発明によれば、ユーザが所持する無線デバイスのデバイス識別情報と同じデバイス識別情報に紐付けられたユーザパラメータをユーザパラメータ制御部が読み出し、そのユーザパラメータに基づき、表示装置に表示させる画像の表示状態をビデオ制御部が制御するので、表示装置での画像の表示状態について、ユーザごとの嗜好を自動で反映することができ、ユーザの利便性が向上する。
【図面の簡単な説明】
【０００８】
【図１】この発明の実施の形態１に係る情報処理装置の構成図である。
【図２】この発明の実施の形態１に係る情報処理装置により表示される画面例を示す図である。
【図３】この発明の実施の形態１に係る情報処理装置の配置例を示す車両内部の平面図である。
【図４】この発明の実施の形態１に係る情報処理装置の平面図である。
【図５】この発明の実施の形態１に係る情報処理装置の処理を示すフローチャートである。
【図６】この発明の実施の形態１に係る情報処理装置により表示される画面例を示す図である。
【図７】この発明の実施の形態２に係る情報処理装置の構成図である。
【図８】この発明の実施の形態２に係る情報処理装置の配置例を示す車両内部の平面図である。
【図９】この発明の実施の形態３に係る情報処理装置の処理を示すフローチャートである。
【図１０】この発明の実施の形態４に係る情報処理装置の構成図である。
【図１１】この発明の実施の形態４に係る情報処理装置の平面図、及び、実施の形態４に係る情報処理装置により表示される画面例を示す図である。
【発明を実施するための形態】
【０００９】
実施の形態１．
図１に、この発明の実施の形態１に係る情報処理装置の構成図を示す。以下では、情報処理装置が車両に搭載された場合を例に説明するが、航空機、船舶等の車両以外の移動体に搭載されてもよい。あるいは、家庭内にＡＶ（Ａｕｄｉｏ Ｖｉｓｕａｌ）機器として置かれてもよい。
情報処理装置は、ユーザの存在を検出可能な情報を取得するユーザ検出装置１と、アンテナ２と、アンテナ２を介してユーザが所有している外部の無線デバイス１００に接続する無線デバイス３と、各種の演算処理を行う演算装置４と、無線デバイス１００とユーザの画像情報とユーザの嗜好とを紐付けて記憶する記憶装置（記憶部）５と、オーディオ設定を行うオーディオ制御部６と、ビデオ設定を行うビデオ制御部７と、メディアに対して情報の読み出し又は書込みを行うメディアインタフェース８と、スピーカ（音声出力装置）９と、ユーザ操作が入力されるとともに画像を表示するユーザインタフェース１０等とで構成される。
【００１０】
ユーザ検出装置１は、情報処理装置周辺を撮影するカメラで構成され、情報処理装置周辺の状況を示す画像情報を出力する。
無線デバイス３は、演算装置４に制御されることで、アンテナ２を介して無線ヘッドホン、携帯電話等のユーザ所有の無線デバイス１００と無線接続する。この無線接続には、例えばＢｌｕｅｔｏｏｔｈ（登録商標）等の近距離無線方式が用いられる。アンテナ２は、情報処理装置内、情報処理装置外のどちらに設けてもよい。
演算装置４は、例えばマイクロコントローラで構成され、予め与えられたプログラムを実行することで、ユーザ検出部４１、無線デバイス制御部４２、ユーザ情報検索部４３、ユーザ認証部４４、ユーザパラメータ制御部４５、メディアインタフェース制御部４６、ユーザインタフェース制御部４７として機能する。
【００１１】
ユーザ検出部４１は、ユーザ検出装置１から取得した画像情報を基に、周知の画像処理技術を用いて車両の座席に座ったユーザの存在の有無を検出する。
無線デバイス制御部４２は、無線デバイス３を制御して、アンテナ２を介したユーザ所有の無線デバイス１００との無線接続を確立する。また、無線デバイス制御部４２は、無線デバイス１００に割り振られている固有のＩＤ（ｉｄｅｎｔｉｆｉｃａｔｉｏｎ）を、無線デバイス１００から取得する。
【００１２】
ユーザ情報検索部４３は、無線デバイス制御部４２が取得した無線デバイス１００の固有のＩＤが、記憶装置５に既に記憶されているか判定するために、記憶装置５内を検索する。
ユーザ認証部４４は、記憶装置５内で無線デバイス１００の固有のＩＤと紐付けて記憶されているユーザの画像情報と、ユーザ検出装置１から取得した画像情報とを用いて、周知の画像処理技術によりユーザの認証を行う。
【００１３】
ユーザパラメータ制御部４５は、記憶装置５内で無線デバイス１００の固有のＩＤ及びユーザの画像情報と紐付けて記憶されている、ユーザの嗜好を示すユーザパラメータを読み出し、オーディオ制御部６とビデオ制御部７とメディアインタフェース制御部４６とに出力する。
ユーザパラメータは、ユーザが見たい内容、ユーザが見やすいと思う表示等の画像の表示状態、又、ユーザが聞きたい内容、ユーザが聞きやすいと思う音等の音声の出力状態に関するユーザの嗜好を示す。ユーザパラメータとしてユーザが設定する項目は、例えば、オーディオ設定、ビデオ設定、メディア設定等がある。図２は、無線デバイス１００の固有のＩＤに紐付けられているユーザの画像情報とユーザパラメータの設定一覧を示す表示画面例である。
【００１４】
オーディオ制御部６は、ユーザパラメータ制御部４５が出力するユーザパラメータの内のオーディオ設定に基づき、演算装置４を介してメディアインタフェース８から入力される音声情報の信号を処理して、スピーカ９に出力する。オーディオ設定には、ラウドネス、ボリューム、フェーダ／バランス、サラウンド等の項目が含まれる。
オーディオ制御部６は、音声信号処理を行う音声用のＤＳＰ（Ｄｉｇｉｔａｌ Ｓｉｇｎａｌ Ｐｒｏｃｅｓｓｏｒ）と、当該ＤＳＰが処理した音声情報の信号を増幅するアンプ等で構成される。
【００１５】
ビデオ制御部７は、ユーザパラメータ制御部４５が出力するユーザパラメータの内のビデオ設定に基づき、演算装置４を介してメディアインタフェース８から入力されるビデオ情報の信号を処理して、ユーザインタフェース１０に出力する。ビデオ設定には、コントラスト、ブライトネス、カラー等の項目が含まれる。
ビデオ制御部７は、ビデオ信号処理を行う画像用のＤＳＰ等で構成される。
【００１６】
メディアインタフェース制御部４６は、ユーザパラメータ制御部４５から取得したユーザパラメータの内のメディア設定に基づき、メディアインタフェース８の制御を行う。
メディアインタフェース８は、ＳＤカード、ＤＶＤ（Ｄｉｇｉｔａｌ Ｖｅｒｓａｔｉｌｅ Ｄｉｓｃ）等の各種メディアの挿入口を備えたメディアプレーヤであり、メディアインタフェース制御部４６に制御されて、挿入されたメディアに対する情報の読み出し又は書込みを行う。また、ハードディスク又はフラッシュメモリ（メディア）を内蔵して、情報処理装置と電気的に接続されたポータブルメディアプレーヤであってもよい。また、不図示のラジオアンテナを介してラジオ放送を受信するためのチューナであってもよい。
メディア設定には、メディア再生時のサウンド（吹替音声）、キャプション（字幕）、アングル、お気に入りのジャンル（例えば、お気に入りのラジオ局）等の項目が含まれる。なお、アングルとは、マルチアングルに対応した情報が再生される際の画像アングルを指定するための項目である。
【００１７】
ユーザインタフェース制御部４７は、ユーザインタフェース１０を介してユーザ操作を受け付ける。
【００１８】
記憶装置５には、無線デバイス１００に割り振られている固有のＩＤとユーザ個人を識別するための情報であるユーザの画像情報とユーザパラメータとが紐付けられた状態で記憶されている。記憶装置５は、各種メモリで構成される。また、記憶装置５は、演算装置４の演算処理中に一時保存領域としても使用される。
【００１９】
スピーカ９は、オーディオ制御部６が出力する音声情報の信号を音としてユーザに提供する。
ユーザインタフェース１０は、ユーザ操作を表す信号をユーザインタフェース制御部４７に出力する情報入力部１０ａと、ビデオ制御部７が出力するビデオ情報の信号を基に画面表示をする表示部（表示装置）１０ｂとで構成される。例えば情報入力部１０ａはタッチパネルで、表示部１０ｂはタッチパネルと一体化したディスプレイで構成される。
【００２０】
上記のように構成された情報処理装置は、例えば図３に示すような配置で車両に搭載される。図３では、右後ろの座席に向けて情報処理装置Ａが、左後ろの座席に向けて情報処理装置Ｂが、左前の座席に向けて情報処理装置Ｃがそれぞれ搭載されている。
図４には、情報処理装置の外観を平面図で示す。カメラであるユーザ検出装置１が、情報処理装置に対面するユーザの顔付近を撮影できるように備え付けられている。
【００２１】
次に、情報処理装置による処理の一例について、図５に示すフローチャートを用いて説明する。
ユーザがユーザ検出装置１の撮影範囲内に入ると、ユーザ検出装置１が出力する画像情報を基に、ユーザ検出部４１は、情報処理装置に対面するユーザが存在することを検出する（ステップＳＴ１）。
またこのときユーザ検出部４１は、ユーザ検出装置１が出力する画像情報を、ユーザ個人を識別するための情報として、記憶装置５内の一時保存領域に一時的に保存する。なお、画像情報の保存先は、記憶装置５ではなく、演算装置４の内部メモリ等でもよい。
【００２２】
続いて、無線デバイス制御部４２が、無線デバイス３を制御し、アンテナ２を介してユーザ所有の無線デバイス１００との無線接続を確立させる（ステップＳＴ２）。またこのとき無線デバイス制御部４２は、無線デバイス１００に割り振られている固有のＩＤを無線デバイス１００から取得し、記憶装置５内の一時保存領域に一時的に保存する。
【００２３】
続いて、ユーザ情報検索部４３が、無線デバイス制御部４２により記憶装置５に一時的に保存された無線デバイス１００の固有のＩＤを読み出し、記憶装置５にユーザの画像情報とユーザパラメータとに紐付けられた状態で記憶されているＩＤの中に、読み出した無線デバイス１００のＩＤが存在するか検索する（ステップＳＴ３）。
【００２４】
無線デバイス１００のＩＤと一致するＩＤが存在する場合（ステップＳＴ３；ＹＥＳ）、ユーザ認証部４４が、当該ＩＤに紐付けられた状態で記憶装置５に記憶されている画像情報と、ユーザ検出部４１により記憶装置５内の一時保存領域に一時的に保存された画像情報とを読み出し、同一人物の画像であるかを判定することでユーザ認証を行う（ステップＳＴ４）。同一人物であると判定されてユーザ認証が成功した場合（ステップＳＴ４；ＹＥＳ）、後述するステップＳＴ７の処理に移る。
【００２５】
一方、ユーザ認証で同一人物ではないと判定されてユーザ認証が失敗した場合（ステップＳＴ４；ＮＯ）、または、無線デバイス１００のＩＤと一致するＩＤが存在しなかった場合（ステップＳＴ３；ＮＯ）、ユーザインタフェース制御部４７が、その旨をユーザパラメータ制御部４５及びビデオ制御部７を介して表示部１０ｂに表示してユーザに伝え、ユーザによるユーザパラメータの設定操作を受け付ける（ステップＳＴ５）。このときユーザは、情報入力部１０ａを用いて無線デバイス１００の固有のＩＤに紐付けたい所望のユーザパラメータを情報処理装置に対して入力する。
【００２６】
続いて、ユーザインタフェース制御部４７は、記憶装置５内の一時保存領域に一時的に保存された無線デバイス１００の固有のＩＤ及び画像情報と、ユーザが入力したユーザパラメータとを図２に示すように紐付け、記憶装置５内の一時保存領域でない領域に保存することで、ユーザ登録を行う（ステップＳＴ６）。
【００２７】
ユーザ認証で同一人物であると判定されてユーザ認証が成功した場合（ステップＳＴ４；ＹＥＳ）、または、ステップＳＴ６の処理が終わると、ユーザパラメータ制御部４５が、無線デバイス１００の固有のＩＤに紐付けられているユーザパラメータを、記憶装置５から読み出す（ステップＳＴ７）。
続いて、ユーザパラメータ制御部４５が、記憶装置５から読み出したユーザパラメータを、オーディオ制御部６とビデオ制御部７とメディアインタフェース制御部４６とに出力する。オーディオ制御部６とビデオ制御部７とメディアインタフェース制御部４６は、ユーザパラメータ制御部４５が出力したユーザパラメータに基づき、自身の処理を設定する（ステップＳＴ８）。
【００２８】
以上の処理により、情報処理装置は、ユーザの嗜好を反映した状態に設定される。そしてこの後、ユーザが任意のタイミングで例えばメディアインタフェース８内のＤＶＤ内のビデオコンテンツの再生を情報処理装置に指示すると、メディアインタフェース制御部４６は、ユーザパラメータで設定されたサウンド等を含む音声情報の信号、ユーザパラメータで設定されたキャプション、アングルの画像等を含むビデオ情報の信号を、メディアインタフェース８から取得する。この音声情報の信号及びビデオ情報の信号は、メディアインタフェース制御部４６からユーザパラメータ制御部４５を介してオーディオ制御部６及びビデオ制御部７に出力される。オーディオ制御部６は、入力された音声情報の信号を、ユーザパラメータで設定されたラウドネス、ボリューム、フェーダ／バランス、サラウンド等の状態に処理して、スピーカ９に出力させる。また、ビデオ制御部７は、入力されたビデオ情報の信号を、ユーザパラメータで設定されたコントラスト、ブライトネス、カラー等の状態に処理して、表示部１０ｂに表示させる。
【００２９】
なお、情報処理装置は、ユーザ１人に対して複数のユーザパラメータを登録可能であってもよい。この場合、ユーザ認証が成功（ステップＳＴ４；ＹＥＳ）してからステップＳＴ７へ移行するまでの間に、ユーザがどのユーザパラメータを希望するのかを受け付ける必要がある。そこで例えば、図６に示すような選択画面がユーザインタフェース１０に表示される。図６では、無線デバイス１００のＩＤ“ＡＡＡＡＡＡＡＡＡＡＡＡ”で識別されるユーザＡに、ユーザパラメータＡとユーザパラメータＢの２種類が紐付けられて記憶装置５に保存されている場合を示している。ユーザがユーザパラメータＡを選択する操作をユーザインタフェース１０に入力すると、例えば図２で示した無線デバイス１００の固有のＩＤに紐付けられているユーザの画像情報とユーザパラメータの設定一覧を示す画面が、確認画面としてユーザインタフェース１０に表示される。
【００３０】
また、メディアインタフェース８とスピーカ９とユーザインタフェース１０は、情報処理装置に設けずに、情報処理装置と接続可能に設けられた別個の装置として構成してもよい。アンテナ２と無線デバイス３についても、無線デバイス制御部４２との接続が可能であれば、情報処理装置に設けなくてもよい。
また、上記ではユーザ認証をユーザを撮影した画像情報に基づき行ったが、指紋、掌紋、声紋等の他の個人識別情報を用いてもよい。
【００３１】
以上のように、この実施の形態１に係る情報処理装置によれば、ユーザ所有の無線デバイス１００の固有のＩＤとオーディオ、ビデオ、メディア等に関するユーザの嗜好を示すユーザパラメータとを紐付けて記憶している記憶装置５から、無線デバイス制御部４２が無線接続を確立したユーザ所有の無線デバイス１００の固有のＩＤと紐付けられているユーザパラメータを、ユーザパラメータ制御部４５が読み出す。読み出されたユーザパラメータは、オーディオ制御部６とビデオ制御部７とメディアインタフェース制御部４６とに入力されて、これらが自身の処理を設定するのに利用される。従って、オーディオだけでなくビデオ、メディア等の設定項目についてのユーザごとの嗜好が、自動的に情報処理装置側で設定されるので、ユーザの利便性が向上する。
【００３２】
また、無線デバイス１００を所持するユーザを識別する画像情報を検出するユーザ検出部４１と、ユーザ検出部４１が検出した画像情報を用いてユーザ認証を行うユーザ認証部４４とを備え、記憶装置５は、無線デバイス１００を所持するユーザの画像情報を無線デバイス１００の固有のＩＤとユーザパラメータと紐付けて記憶し、ユーザ認証部４４は、無線デバイス制御部４２が取得した無線デバイス１００の固有のＩＤと同じＩＤに紐付けられて記憶装置５に記憶されている画像情報と、ユーザ検出部４１が検出した画像情報とに基づきユーザ認証を行い、ユーザパラメータ制御部４５は、ユーザ認証部４４によるユーザ認証が成功した場合に、記憶装置５に記憶されているユーザパラメータを読み出すこととした。
ユーザ認証部４４がユーザ認証を行うことにより、情報処理装置を使おうとしているユーザのユーザパラメータを正確に特定でき、適切なユーザパラメータの読み出しが可能となる。
【００３３】
実施の形態２．
実施の形態１では、情報処理装置がユーザ検出装置１としてカメラを有しているものとして説明した。実施の形態２では、ユーザ検出装置１を情報処理装置に設けずに、車両に備え付けられているカメラをユーザ検出装置１ａとして利用する形態について示す。
【００３４】
図７に、この発明の実施の形態２に係る情報処理装置の構成図を示す。また、図８に、実施の形態２に係る情報処理装置を搭載した車両内を示す。実施の形態２に係る情報処理装置は、図１に示した実施の形態１に係る情報処理装置の構成から、ユーザ検出装置１を除いたものである。なお、図７において図１と同一または相当の部分については同一の符号を付し、以下での説明を省略又は簡略化する。
【００３５】
車両に備え付けられて各座席に座ったユーザの顔付近を撮影できるカメラであるユーザ検出装置１ａは、車内を撮影して、その画像情報を情報処理装置Ａ〜Ｃへ出力する。
ユーザ検出装置１ａが出力した画像情報は、情報処理装置Ａ〜Ｃのユーザ検出部４１へ入力される。情報処理装置Ａ〜Ｃのユーザ検出部４１は、入力された画像情報を基に、周知の画像処理技術を用いて、ユーザが対面する情報処理装置は自機であるかを判定する。
【００３６】
次に、上記のように構成された情報処理装置による処理について図５を援用して説明する。
ユーザが例えば右後ろの座席に座ると、ユーザ検出装置１ａが出力する画像情報を基に、情報処理装置Ａ〜Ｃのユーザ検出部４１がそれぞれ、ユーザが自機に対面しているかを判定する。この例では、情報処理装置Ａのユーザ検出部４１はユーザが自機に対面していると判定し、情報処理装置Ｂ，Ｃのユーザ検出部４１はユーザは自機に対面していないと判定する。
【００３７】
すると、この時点で情報処理装置Ｂ，Ｃは処理を終了する。
一方、情報処理装置Ａは処理を続け、ユーザ検出部４１が、ユーザ検出装置１ａから入力された画像情報を記憶装置５内の一時保存領域に一時的に保存する。
その後、情報処理装置Ａは、ステップＳＴ２〜ステップＳＴ８の処理を行う。
【００３８】
なお、図８では、ユーザ検出装置１ａとしてのカメラが１台備えられている場合を示したが、カメラの台数は任意でよい。また、ユーザ検出装置１ａとしてのカメラを３台備え、情報処理装置Ａ〜Ｃと１対１に対応させれば、図５に示したステップＳＴ１〜ＳＴ８と同様の処理を情報処理装置Ａ〜Ｃはそれぞれ行う。
【００３９】
以上のように、この実施の形態２に係る情報処理装置によれば、実施の形態１と同様にユーザの利便性が向上するとともに、ユーザ検出装置１ａとして車両に既に備え付けられているカメラを流用することから、情報処理装置単体のコストを下げることができる。
【００４０】
実施の形態３．
実施の形態１，２では、ユーザ検出装置１，１ａとしてカメラを用いる構成を説明した。実施の形態３では、ユーザ検出装置１ａとしてセンサを用いる形態について示す。なお、以下の説明では、図７を援用して説明する。
【００４１】
実施の形態３に係る情報処理装置は、ユーザ検出装置１ａとして例えば各座席に設置されている重量センサを用いる。それ以外の構成は実施の形態２に係る情報処理装置と変わらない。
【００４２】
各座席に設置された重量センサであるユーザ検出装置１ａは、座席に加えられる重量を検出し、当該座席に対応する情報処理装置へその検出信号を出力する。
ユーザ検出装置１ａが出力した検出信号は、情報処理装置のユーザ検出部４１へ入力される。ユーザ検出部４１は、入力された検出信号の値が閾値を超えた場合、座席にユーザが存在すると判定する。
【００４３】
次に、上記のように構成された情報処理装置による処理の一例について、図９に示すフローチャートを用いて説明する。
【００４４】
ユーザが着席すると、ユーザ検出装置１ａが出力する検出信号を基に、ユーザ検出部４１は、ユーザが存在することを検出する（ステップＳＴ１０）。
続いて、情報処理装置は、実施の形態１で説明したステップＳＴ２，３と同じ処理を行う。
【００４５】
無線デバイス１００のＩＤと一致するＩＤが存在する場合（ステップＳＴ３；ＹＥＳ）、ユーザパラメータ制御部４５が当該ＩＤに紐付けられた状態で記憶装置５に記憶されているユーザパラメータを候補として読み出し、表示部１０ｂを介してユーザに提示する（ステップＳＴ１１）。
これは、実施の形態１，２と異なり着席したユーザの画像情報を撮影しないために、ユーザ認証部４４による画像を用いてのユーザ認証を行わないからである。
【００４６】
続いて、ユーザインタフェース制御部４７が、情報入力部１０ａからユーザによるユーザパラメータの選択操作を受け付けて、当該選択操作がステップＳＴ１１でユーザに候補として提示したユーザパラメータを選択するものであるかを判定する（ステップＳＴ１２）。
ステップＳＴ１１で提示したユーザパラメータをユーザが選択した場合（ステップＳＴ１２；ＹＥＳ）、後述するステップＳＴ１４の処理に移る。
【００４７】
一方、ステップＳＴ１１で提示したユーザパラメータの候補をユーザが拒否した場合（ステップＳＴ１２；ＮＯ）、または、無線デバイス１００のＩＤと一致するＩＤが存在しなかった場合（ステップＳＴ３；ＮＯ）、情報処理装置は、実施の形態１で説明したステップＳＴ５と同じ処理を行う。
【００４８】
続いて、ユーザインタフェース制御部４７は、記憶装置５内の一時保存領域に一時的に保存された無線デバイス１００の固有のＩＤとユーザが入力したユーザパラメータとを紐付け、記憶装置５内の一時保存領域でない領域に保存することで、ユーザ登録を行う（ステップＳＴ１３）。
【００４９】
ステップＳＴ１１で提示したユーザパラメータの候補をユーザが選択した場合（ステップＳＴ１２；ＹＥＳ）は当該ユーザパラメータを、または、ステップＳＴ１３の処理が終わった場合は、ステップＳＴ１３で保存したユーザパラメータを、ユーザパラメータ制御部４５が記憶装置５から読み出す（ステップＳＴ１４）。
続いて、情報処理装置は、実施の形態１で説明したステップＳＴ８と同じ処理を行う。
なお、重量センサの替わりに、各座席に設置されて人が着席した際の温度上昇を検出する温度センサを、ユーザ検出装置１ａとして使用してもよい。
【００５０】
以上のように、この実施の形態３に係る情報処理装置によれば、実施の形態１と同様にユーザの利便性が向上するとともに、ユーザ検出装置１ａとして車両に既に備え付けられているセンサを流用することから、情報処理装置単体のコストを下げることができる。
【００５１】
実施の形態４．
実施の形態１〜３では、運転席以外の座席に対して設置されている情報処理装置について説明した。通常、このような情報処理装置は、音楽、映画等の娯楽性の高い情報をユーザに提供する。実施の形態４では、運転席に対して設置されて、運転操作と関連性のある情報を提供する情報処理装置について示す。
図１０に、この発明の実施の形態４に係る情報処理装置の構成図を示す。なお、図１０において図１と同一または相当の部分については同一の符号を付し、以下での説明を省略又は簡略化する。
【００５２】
ビデオ制御部７は、車両に搭載されて車両情報を検出する各種車両センサ２０、ナビゲーション情報を算出するナビゲーションシステム３０と接続している。
車両情報は、エンジン回転数、車両速度、ガソリン残量、エンジン温度、機器の故障等の車両の状態に関する情報である。車両センサ２０には、クランクポジションセンサ、車速センサ等が含まれる。
また、ナビゲーション情報は、自車位置、自車周辺の詳細地図、目的地までの経路を示す広域地図等に関する情報である。
【００５３】
実施の形態４に係る情報処理装置は、ユーザパラメータとして、実施の形態１で説明したオーディオ設定、ビデオ設定、メディア設定に加え、運転操作情報表示設定についても設定可能に構成される。
ユーザパラメータ制御部４５が出力するユーザパラメータの内の運転操作情報表示設定に基づき、ビデオ制御部７は、車両センサ２０から入力される車両情報、ナビゲーションシステム３０から入力されるナビゲーション情報を処理して、ユーザインタフェース１０の表示部１０ｂに出力する。
【００５４】
運転操作情報表示設定には、デジタル／アナログ表示（表示様式）、表示数、レイアウト等の項目が含まれる。デジタル／アナログ表示とは、車両情報のうち数値で得られる情報について、数値表示とするかメータ表示とするかを指定するための項目である。表示数とは、車両情報及びナビゲーション情報の中で表示部１０ｂに表示させる情報を指定するための項目である。
実施の形態４に係る情報処理装置は、図５に示した実施の形態１に係る情報処理装置と同様の処理を行うので、その説明については省略する。
【００５５】
図１１（ａ）に、実施の形態４に係る情報処理装置の外観を平面図で示す。情報処理装置の表示部１０ｂは、車両のダッシュボード２００において運転席側に位置するクラスタディスプレイ１０ｃ、運転席と助手席との間に位置するセンタディスプレイ１０ｄとして設けられる。
クラスタディスプレイ１０ｃとセンタディスプレイ１０ｄには、ビデオ制御部７によって車両情報とナビゲーション情報が表示される。
【００５６】
図１１（ａ）に示す例では、クラスタディスプレイ１０ｃに、エンジン回転数、車両速度、ガソリン残量の情報、経路を示す矢印等の簡易なナビゲーション情報が表示されている。簡易なナビゲーション情報は、小窓１１ｃ内に表示される。また、センタディスプレイ１０ｄに、自車周辺の詳細を示した詳細地図と目的地までの経路を示した広域地図とが表示されている。
【００５７】
この図１１（ａ）は、運転操作情報表示設定のデジタル／アナログ表示について、エンジン回転数、車両速度及びガソリン残量に関してアナログ表示が設定されている場合の表示画面例である。このとき、ビデオ制御部７は、車両センサ２０から入力されるエンジン回転数、車両速度及びガソリン残量を、アナログ表示として処理して、クラスタディスプレイ１０ｃに出力する。
また、図１１（ｂ）は、運転操作情報表示設定のデジタル／アナログ表示について、エンジン回転数及び車両速度に関してデジタル表示が設定されている場合の表示画面例である。このとき、ビデオ制御部７は、車両センサ２０から入力されるエンジン回転数及び車両速度を、デジタル表示として処理して、クラスタディスプレイ１０ｃに出力する。
【００５８】
また、図１１（ｃ）は、運転操作情報表示設定の表示数について、エンジン回転数及び詳細地図が非表示に設定されている場合の表示画面例である。このとき、ビデオ制御部７は、車両センサ２０から入力されるエンジン回転数とナビゲーションシステム３０から入力される自車周辺の詳細地図とを非表示として処理して、クラスタディスプレイ１０ｃ及びセンタディスプレイ１０ｄに出力する。
また、図１１（ｄ）は、運転操作情報表示設定のレイアウトについて、レイアウトが小窓１１ｃを下方とする旨、及び、自車周辺の詳細地図を助手席側、目的地までの経路を示した広域地図を運転席側に表示する旨、設定されている場合の表示画面例である。このとき、ビデオ制御部７は、車両センサ２０から入力されるエンジン回転数、車両速度及びガソリン残量を上方に、ナビゲーションシステム３０から入力された簡易なナビゲーション情報を表示する小窓１１ｃを下方に、ナビゲーションシステム３０から入力される詳細地図を助手席側に、広域地図を運転席側にレイアウトして、クラスタディスプレイ１０ｃ及びセンタディスプレイ１０ｄに出力する。
【００５９】
以上のように、この実施の形態４に係る情報処理装置によれば、オーディオ、ビデオ、メディア等に関するユーザの嗜好に加えて、運転操作と関連性のある情報の表示に関する嗜好も自動的に情報処理装置側で設定されるので、実施の形態１〜３よりも更にユーザの利便性が向上する。
【００６０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６１】
１，１ａ  ユーザ検出装置、２  アンテナ、３  無線デバイス、４  演算装置、５  記憶装置（記憶部）、６  オーディオ制御部、７  ビデオ制御部、８  メディアインタフェース、９  スピーカ（音声出力装置）、１０  ユーザインタフェース、１０ａ  情報入力部、１０ｂ  表示部（表示装置）、１０ｃ  クラスタディスプレイ、１０ｄ  センタディスプレイ、１１ｃ  小窓、２０  車両センサ、３０  ナビゲーションシステム、４１  ユーザ検出部、４２  無線デバイス制御部、４３  ユーザ情報検索部、４４  ユーザ認証部、４５  ユーザパラメータ制御部、４６  メディアインタフェース制御部、４７  ユーザインタフェース制御部、１００  無線デバイス、２００  ダッシュボード。
【図１】
2015226202.tif 000003
【図２】
2015226202.tif 000004
【図３】
2015226202.tif 000005
【図４】
2015226202.tif 000006
【図５】
2015226202.tif 000007
【図６】
2015226202.tif 000008
【図７】
2015226202.tif 000009
【図８】
2015226202.tif 000010
【図９】
2015226202.tif 000011
【図１０】
2015226202.tif 000012
【図１１】
2015226202.tif 000013